(57)【要約】【課題】粉塵等が浮遊しうる環境で照明器具を天井に吊設しても、照明器具の上面に粉塵等が降り積もるのを防止することができる照明取付具及び照明装置を提供する。【解決手段】照明取付具の上面に落下したホコリや粉塵が滑り落ちるよう、上面を傾斜した傾斜面に形成する。これにより、上面に粉塵等が積もるのを防止することができる。また、その傾斜面を界面活性剤や導電性カーボブラックを含めせることにより、帯電によるホコリ付着を防ぎ、滑り落しやすくする。【選択図】図１
2013134829.tif 000002
【特許請求の範囲】
【請求項１】
埃や粉塵を含む異物が浮遊しうる環境において照明器具を天井に吊設する照明取付具であって、前記照明取付具の上面に落下した異物が滑り落ちるよう、上面が傾斜した傾斜面で形成された照明取付具。
【請求項２】
照明用付属器具を収納するための中空部が形成された請求項１記載の照明取付具。
【請求項３】
前記傾斜面が平面であって、その傾斜角が７０度以上である請求項１又は２記載の照明取付具。
【請求項４】
前記傾斜面が２枚の傾斜板により一体に形成された断面山型状であって、前記２枚の傾斜板の角度がそれぞれ７０度以上である請求項１から３の何れかに記載の照明取付具。
【請求項５】
前記傾斜面が天井方向に向かって凸状の曲面であって、その接線の最小角度が７０度以上である請求項１から４の何れかに記載の照明取付具。
【請求項６】
前記傾斜面が界面活性剤が添加された樹脂で構成されている請求項１から５の何れかに記載の照明取付具。
【請求項７】
前記傾斜面が５０％以上の導電性カーボブラックを有する樹脂で構成されている請求項１から６の何れかに記載の照明取付具。
【請求項８】
前記異物がタバコの粉塵である請求項１から７の何れかに記載の照明取付具。
【請求項９】
請求項１から８の何れかに記載の照明取付具と照明器具が一体となった照明装置。
【発明の詳細な説明】
【技術分野】
【０００１】
本発明は、埃や粉塵等が浮遊しうる場所で照明器具を建物天井に吊設する照明取付具及び照明装置に関する。
【背景技術】
【０００２】
従来、吊りボルトや懸吊具等を介して建物天井に取り付けられた照明装置が知られている。例えば下記特許文献１には、天井フレームの収納凹部に照明モジュールが設けられた天井フレーム構造が開示されている。すなわち、天井に吊設するための取付部と、ケーブルや電源等を収納するための中空部と、照明装置を配するためのメインフレームとが一体化した構成の天井フレームとなっている。このような一体型構造によれば、容易に照明装置等の組み付け工事を行えることが期待される。
【０００３】
しかしながら、このような照明装置を例えばタバコの製造工場や、木材等の加工工場等、埃や粉塵が生じやすい場所に設置すると、浮遊する粉塵等が照明装置の上面に積もってしまうことがあった。
【０００４】
タバコの製造工場等では大量のタバコの粉塵が降り積もり、これらの粉塵を取り除く作業には、安全のため一度照明器具を取り外してから、粉塵を取り除く必要があり、時間と労力の両面で大きな負担となっていた。
【先行技術文献】
【特許文献】
【０００５】
【特許文献１】特開２００８−２２６６５９号公報
【発明の開示】
【発明が解決しようとする課題】
【０００６】
本発明は、上述の課題を解決するためのものであって、タバコの粉塵等が照明器具上面に積もることのない、天井に照明器具を取り付けるための照明取付具及び照明装置を提供することにある。
【課題を解決するための手段】
【０００７】
本発明の照明取付具は、埃や粉塵を含む異物が浮遊しうる環境において照明器具を天井に吊設するものであって、前記照明取付具の上面に落下した異物が滑り落ちるよう、上面が傾斜した傾斜面で形成されている。これにより、上面にホコリや粉塵が降り積もらないようになっている。照明用付属器具を収納するための中空部を一体に形成してもよい。
【０００８】
前記傾斜面は平面であってもよく、例えば２枚の傾斜板により一体に形成された断面山型状とすることができる。傾斜面の傾斜角は７０度以上が好ましい。また、傾斜面が天井方向に向かって凸状の曲面でもよく、例えばドーム形状にしてもよい。
【０００９】
前記傾斜面は、界面活性剤が添加された樹脂や、５０％以上の導電性カーボブラックを有する樹脂で構成することができる。帯電防止効果を与えることで、より滑りやすくすることができる。
【発明の効果】
【００１０】
本発明によれば、粉塵等が浮遊しうる環境で照明器具を天井に吊設しても、照明器具の上面に粉塵等が降り積もるのを防止することができる。照明器具の清掃にかかる時間と労力を大幅に削減することができる。
【図面の簡単な説明】
【００１１】
【図１】第１の実施形態の照明取付具の概略構成図
【図２】第２の実施形態の照明取付具の概略構成図
【図３】第３の実施形態の照明取付具の概略構成図
【図４】傾斜面の傾斜角及び材質に関する実験の結果を示す図
【発明を実施するための形態】
【００１２】
以下に本発明の好適な実施の形態について、図面を参照しながら説明する。なお本実施の形態は一例であり、これに限定されるものではない。本実施形態の照明取付具は、埃や粉塵を含む異物が浮遊しうる環境で用いることを想定している。以下タバコ製造工場に設置する場合を例に説明するが、埃や粉塵等が浮遊する場所であれば、どのような場所で利用してもよい。
【００１３】
本実施形態の照明取付具は、照明器具を天井に吊設するものであって、天井への取り付け方法は特に問わない。例えば、天井吊りボルトを介する方法、懸吊具を介して吊設する方法、天井に直付けする方法等種々の方法が考えられる。
【００１４】
図１は、本実施形態の照明取付具１００の概略構成図を示す。照明取付具１００は、既存のダクトレールに沿って天井に照明器具１０６を取り付けるもので、最上面部に配設された斜面部１０１と、照明器具１０６を取り付けるための取付フレーム１０２により構成されている。
【００１５】
斜面部１０１は、断面山型状に形成された２枚の傾斜板１０１Ａ、１０１Ｂで構成されており、この傾斜板１０１Ａ、１０１Ｂにより、落下した異物が床面に滑り落ちるようになっている。
【００１６】
２枚の傾斜板１０１Ａ、１０１Ｂの傾斜角度αはそれぞれ７５度になっているが、工場内を浮遊する粉塵の比重、粒径、安息角等に応じて最適に設定すればよい。タバコの粉塵を想定した場合には、２枚の傾斜板１０１Ａ、１０１Ｂの傾斜角度αはそれぞれ７０度以上が好ましい。水平板１０１Ｃの下面には、後述するダクトレール１０４を取り付けるための磁石１０３が設けられている。
【００１７】
本実施形態では、２枚の傾斜板１０１Ａ、１０１Ｂによって山型状に形成されているが、タバコの粉塵が滑り落ちる構造となっていれば形状は特に問わない。
【００１８】
傾斜面１０１の材料はポリプロピレンおよびカーボンブラックで構成されているため、帯電防止機能がある。カーボンブラックを用いることで、長期間にわたって半永久的に導電性を維持することができる。帯電防止ができれば界面活性剤を添加したり、金属粉や金属短繊維等の導電性フィラーを添加したり、導電性のポリマーを用いたりしてもよい。
【００１９】
取付フレーム１０２は斜面部１０１と一体に構成されており、１枚の水平板と２枚の取付板により、下方に開口した断面コの字状に構成されたている。照明用付属器具を収納することができるよう中空部が形成されている。照明用付属器具は、例えば照明器具に駆動電流を供給するための配電ケーブルや電源等が考えられる。なお、本実施形態では、前記配電ケーブルが収納された長尺な配線ダクトレールが設置されている場所を想定しており、この配線ダクトレール１０４が中空部内に収納されている。
【００２０】
配線ダクトレール１０４は中空部内でぐらつかないように磁石１０３により固定されている。照明器具１０６はこの配線ダクトレール１０４に沿って取付板にて取り付けられる。
【００２１】
次に、第２の実施形態について説明する。第１の実施形態と異なる点のみについて説明し、重複する点については説明を省略する。図２は、本実施形態の取付具を示す概略構成図を示す。
【００２２】
本実施形態は、取付具２００の傾斜部２０１の形状の変形例である。本実施形態の取付具２００の傾斜部２０１は、１枚の傾斜板により形成されている。材質は上述の第１の実施形態と同様である。傾斜角α２についても第１の実施形態と同様に７０度に設定されている。
【００２３】
本実施形態は床面に落下する方向が一方向であるため、床面に落下した粉塵をより清掃しやすく、また山型上の斜面と比較して製造が容易であるという利点がある。
【００２４】
次に第３の実施形態について説明する。第１の実施形態と異なる点のみについて説明し、重複する点については説明を省略する。図３は、本実施形態の取付具３００を示す概略構成図を示す。
【００２５】
本実施形態は、取付具３００の傾斜部の形状をさらに変形したものである。本実施形態の取付具３００の傾斜部３０１は、天井方向に向かって凸状の曲面に形成されている。２枚の断面略扇型形状の傾斜板３０１Ａ、３０１Ｂが向き合う状態で先端が接続されたドーム型となっている。
【００２６】
傾斜部が平面の場合は傾斜角が一定であるため途中で引っかかり滑らなくなることがある。これに対して、曲面の場合は、曲面の接線の傾斜角は下方にいくにつれて大きくなるため、下方にいくにつれて滑りやすくなり、落下した粉塵が斜面途中でとどまることが少ない。
【００２７】
次に、傾斜面の傾斜角及び材質の実験について説明する。比較例および実施例の材料は下記に示すとおりである。
実施例（１）  ポリプロピレン１００％
実施例（２）  ポリプロピレンに非イオン性界面活性剤０．６％を添加
実施例（３）  ポリプロピレンに非イオン性界面活性剤０．８％を添加
実施例（４）  ポリプロピレン５０％と導電性カーボンブラック５０％
実施例（５）  ポリプロピレン７５％と導電性カーボンブラック２５％
実施例（６）  ポリプロピレン５０％と黒顔料用マスターバッチ５０％
なお、実施例（６）の黒顔料用マスターバッチにはカーボンブラックが４０％含まれている。
【００２８】
いずれの実施例も５０度、６０度、６５度、７０度の傾斜角の傾斜面にタバコの粉塵を落とし、それぞれの角度において傾斜面に留まっている粉塵量、及び表面固有抵抗値を測定した。表面固有抵抗値は１日目（気温２３度、湿度２４％）、３日目（気温２２．５度、湿度２０％）に測定した。タバコの粉塵は、水分が１０．０％、かさ比重が０．２２、平均粒径が１３０μｍ、安息角が５１度のものを用いた。
【００２９】
図４は、本実験の結果を示す表である。実施例（２）（３）は、実施例（１）と比べて表面固有抵抗値が低く、付着した粉塵量が少なくなっていることがわかる。ポリプロピレンに界面活性剤を添加すれば、粉塵が滑り落ちやすくなり、有効であることがわかる。
【００３０】
実施例（４）（６）は、さらに表面固有抵抗値が低く、付着した粉塵量が少なくなることがわかる。すなわち、ポリプロピレンと１対１で導電性カーボンブラックを混ぜると粉塵は落ちやすくなる。
【００３１】
実施例（５）は、実施例（４）と比較すると、表面固有抵抗値が高く、付着した粉塵量が大きくなっていることがわかる。すなわち、導電性カーボンブラックは５０％以上含めると効果が大きくなることがわかる。
【００３２】
次に傾斜角についてであるが、いずれの実施例も傾斜角が大きくなるにつれて、粉塵は滑り落ちやすくなる傾向にあることがわかる。特に、傾斜角が７０度にするとかなりの量が滑り落ちることがわかる。
【００３３】
なお、本実施形態ではタバコの工場で用いられることを想定しているため、タバコの粉塵を用いて実験を行った。ただし、粉塵のかさ比重、平均粒径、安息角等のうち少なくとも１以上のパラメータに基づいて傾斜角及び材質を決めればよい。
【００３４】
本実施形態では、照明器具１０６を取り付けるための照明取付具１００について説明したが、照明取付具１００に照明器具１０６を取り付けた一体型の照明装置とすることもできる。このような一体型構造にすることで、容易に照明装置等の組み付け工事を行えることができる。
【符号の説明】
【００３５】
１００    取付具
１０１    斜面部
１０１Ａ  傾斜板
１０１Ｂ  傾斜板
１０２    取付フレーム
１０３    磁石
１０４    配線ダクトレール
１０５    中空部
【図１】
2013134829.tif 000003
【図２】
2013134829.tif 000004
【図３】
2013134829.tif 000005
【図４】
2013134829.tif 000006